(57)【特許請求の範囲】
【請求項１】
プレスブレーキにおける下部テーブル上に備えた左右方向に長いベースよりも左右方向の長さが短いホルダベースを前記ベースに着脱可能に備え、このホルダベース上に、当該ホルダベースの左右方向の寸法とほぼ等しい寸法のダイホルダを備え、このダイホルダ上に着脱可能に備えたダイの左右方向の寸法を、前記ダイホルダの左右方向の寸法と等しく、又は前記ダイホルダの左右方向の寸法よりも長く設けてあることを特徴とする金型支持装置。
【発明の詳細な説明】
【技術分野】
【０００１】
本発明は、プレスブレーキにおける下部テーブル上に、下金型としてのダイを支持するための金型支持装置に係り、さらに詳細には、板材の折曲げ加工を行うときに、水平な天井面板の両側部に、高さ寸法の大きな側面板を備えた構成であっても、前記天井面板をＶ字形状に容易に折曲げることのできる金型支持装置に関する。
【背景技術】
【０００２】
従来、プレスブレーキによって板状のワークの折曲げ加工を行って、例えば箱状体を製作するようなとき、例えば図６に示すように、水平な天井面板ＴＰの左右両側部に高さ寸法の大きな側面板ＳＰを備えた構成において、天井面板ＴＰをＶ字形状に折曲げるとき、前記天井面板ＴＰの折曲げ線Ｌの位置をダイでもって支持する必要がある。しかし、従来のダイの高さ寸法は、前記側面板ＳＰの高さ寸法Ｈより小さいので、上記高さ寸法Ｈよりも高さ寸法の大きな格別なダイを製作する必要がある。この場合、上記格別なダイは、前記側面板ＳＰの間隔寸法Ｗに対応して製作する必要がある。
【０００３】
すなわち、従来は、通常使用しているダイの高さ寸法よりも、折曲げ加工を行なおうとするワークに備えられている側面板の高さ寸法が大きい場合には、高さ寸法の大きな格別なダイを製作する必要があった。そこで、高さ寸法の異なる複数のダイを予め準備しておくことも可能であるが、この場合には無駄が多いという問題がある。
【０００４】
なお、本発明に関係あると思われる先行技術文献としては特許文献１，２がある。
【先行技術文献】
【特許文献】
【０００５】
【特許文献１】特開２００２−２１９５１７号公報
【特許文献２】特開２００８−１９４７１４号公報
【発明の概要】
【発明が解決しようとする課題】
【０００６】
前記特許文献１に記載の金型支持装置の構成は、プレスブレーキにおける下部テーブルの上部に、左右方向に長いベースを備え、このベース上に着脱可能に備えた、左右方向に長いダイホルダ上に、標準金型よりも高さ寸法の大きな分割金型（ダイ）を装着する構成である。すなわち、特許文献１に記載の構成においても、格別なダイを製作する必要があるという問題を有するものである。
【０００７】
特許文献２に記載の金型支持装置の構成は、プレスブレーキにおける下部テーブル上に、左右方向に長いダイホルダ（特許文献２においては分割式同芯２Ｖダイ用ダイレール３と称している）とダイとの間に、ダイよりも左右方向に長い高ハイト分割ダイレールを備えた構成である。したがって、特許文献２に記載の構成においては、高ハイト分割ダイレールという余分な構成部材の保守、管理が厄介であると共に、前述したように、天井板ＴＰの両側に高さ寸法の大きな側面板ＳＰを備えた構成のワークにおける前記天井板ＴＰをＶ字形状に折曲げ加工を行うとき、前記側面板ＳＰが高ハイト分割ダイレールと干渉し、折曲げ加工を行うことができない、という問題がある。
【課題を解決するための手段】
【０００８】
本発明は、前述のごとき従来の問題に鑑みてなされたもので、プレスブレーキにおける下部テーブル上に備えた左右方向に長いベースよりも左右方向の長さが短いホルダベースを前記ベースに着脱可能に備え、このホルダベース上に、当該ホルダベースの左右方向の寸法とほぼ等しい寸法のダイホルダを備え、このダイホルダ上に着脱可能に備えたダイの左右方向の寸法を、前記ダイホルダの左右方向の寸法と等しく、又は前記ダイホルダの左右方向の寸法よりも長く設けてあることを特徴とするものである。
【発明の効果】
【００１１】
本発明によれば、ダイの左右方向の寸法が、ダイを支持するダイホルダの左右方向の長さ寸法と等しい、又はダイホルダの左右方向の寸法よりも長いので、天井面板の左右両側部に高さ寸法の大きな側面板ＳＰを備えた構成のワークにおける前記天井面板をＶ字形状に折曲げ加工するとき、上記側面板ＳＰをダイホルダの側方に位置せしめることができる。すなわち、側面板ＳＰの高さ寸法が、ダイの高さ寸法より大きい場合であっても、ダイの高さ寸法とダイホルダの高さ寸法との和より小さい場合には、前記側面板ＳＰがダイホルダと干渉するようなことがないものである。
【００１２】
したがって、従来の一般的な標準金型であるダイを使用して、当該ダイの高さ寸法よりも高さ寸法が大きな側面板を両側に備えた天井面板の折曲げ加工を容易に行うことができるものである。
【図面の簡単な説明】
【００１３】
【図１】本発明の実施形態に係る金型支持装置の側断面説明図である。
【図２】本発明の実施形態に係る金型支持装置の正面説明図である。
【図３】第２実施形態の説明図である。
【図４】第３実施形態の説明図である。
【図５】第４実施形態の説明図である。
【図６】折曲げ対象とするワークの説明図である。
【発明を実施するための形態】
【００１４】
図１，２を参照するに、本発明の実施形態に係る金型支持装置１は、プレスブレーキ（図示省略）における下部テーブル３上に着脱可能に装着してある。より詳細には、前記金型支持装置１は、前記下部テーブル３の上部に備えた左右方向（図１において紙面に垂直な方向、図２において左右方向）に長いベース５上に着脱自在なホルダベース７を備えている。このホルダベース７の左右方向の長さは、前記ベース５の左右方向の長さよりも短く形成してある。
【００１５】
上記ホルダベース７には、ダイホルダ９がボルトなどのごとき固定具１１を介して一体的に取付けてある。このダイホルダ９の左右方向の寸法は前記ホルダベース７の左右方向の寸法とほぼ等しく設けてある。そして、このホルダベース７の上部には、パンチ（図示省略）と協働してワークＷＰの折曲げ加工を行うダイ１３を着脱可能なダイ装着部１５が備えられている。このダイ装着部１５には、ダイ１３を支持する水平な支持面１７が形成してあると共に、ダイ１３を挟持する挟持面１９を垂直に備えた突出部２１が上方向に突設してある。そして、前記ダイホルダ９には、前記ダイ１３を前記挟持面１９へ押圧し固定するクランプ部材２３がボルト等のごとき締付具２５を介して着脱可能に取付けてある。
【００１６】
前記ダイ１３の左右方向の長さ寸法は、前記ワークＷＰにおける左右両側の側面板ＳＰにおける内側面の間隔寸法に等しい寸法であって、前記ダイホルダ９の左右方向の寸法と等しく、又はダイホルダ９の左右方向の長さ寸法よりも僅かに長く設けてある。
【００１７】
したがって、ワークＷＰに備えた側面板ＳＰの高さ寸法Ｈが、標準金型としての前記ダイ１３の高さ寸法よりも大きい場合であっても、図１，２に示すように、上記側面板ＳＰを、ダイホルダ９と干渉することなくワークＷＰをダイ１３上に載置位置決めすることができる。よって、パンチと協働してワークＷＰの天井面板ＴＰをＶ字形状に折曲げ加工することができるものである。
【００１８】
前記説明より理解されるように、ダイホルダ９の左右方向の長さ寸法を、ダイ１３の左右方向の長さ寸法と等しく、又は僅かに短く設けてあるので、天井面板ＴＰの両側に、高さ寸法が標準のダイ１３の高さ寸法よりも大きな側面板ＳＰを備えた構成であっても、上記ダイホルダ９と側面板ＳＰとを干渉することなく、ワークＷＰの天井面板ＴＰの折曲げ加工を行い得るものである。
【００１９】
ところで、前記説明においては、ダイホルダ９とダイ１３との左右方向の寸法がほぼ等しい場合について説明したが、図３に示すように、左右方向に長いダイ１３を、左右方向に適宜間隔（互に接触している場合も含む）に配置した複数の金型支持装置１によって支持することも可能である。なお、この場合、金型支持装置１におけるホルダベース７はそれぞれ別個であっても、左右方向に長い一体物であってもよいものである。すなわち、ホルダベース７が左右方向に長い場合には、各ダイホルダ９に共用されるものであって、左右方向に複数に分割してあるダイホルダ９を、左右方向に長いホルダベース７に対して左右方向に位置調節可能に取付けるものである。
【００２０】
上記構成においては、複数に分割した左右両側のダイホルダ９の間隔、すなわち左側のダイホルダ９の左側面と右側のダイホルダ９の右側面との間の左右方向の寸法（ダイホルダ９全体の左右方向の寸法）とダイ１３の左右方向の寸法を等しく、又はダイホルダ９全体の左右方向の寸法（ダイホルダの左右方向の寸法）がダイ１３の左右方向の寸法よりも僅かに短くなるように、複数のダイホルダ９を配置するものである。
【００２１】
また、図４に示すように、１つの金型支持装置１によって複数の分割ダイ１３Ａ，１３Ｂ，１３Ｃを支持することも可能である。この場合、複数の分割ダイ１３Ａ，１３Ｂ，１３Ｃを配置した左右方向の長さ寸法を、金型支持装置１におけるダイホルダ９の左右方向の寸法と等しく、又は僅かに長く配置するものである。なお、前記分割ダイ１３Ａ，１３Ｂ，１３Ｃは左右方向を互に接触して配置することが望ましいものである。しかし、既に知られているように、折曲げ対象とするワークの板厚よりも狭い間隔で僅かに離した状態に配置することも可能である。
【００２２】
また、図５に概略的に示すように、左右方向の長さ寸法が同一又は異なる複数のダイホルダ９Ａ，９Ｂ，９Ｃをプレスブレーキの下部テーブル上に左右方向に適宜間隔に配置し、この複数のダイホルダ９Ａ，９Ｂ，９Ｃによって左右方向の長さ寸法が同一又は異なる複数の分割ダイ１３Ｄ，１３Ｅ，１３Ｆを支持する構成とすることも可能である。
【００２３】
上記構成とすることにより、複数のダイホルダを適宜に組合せることにより、ダイホルダの左右方向の長さ寸法を任意の寸法とすることができる。また、複数の分割ダイを適宜に組合せることにより、ダイの左右方向の寸法を任意寸法とすることができる。したがって、ワークにおける天井面板の左右両側に備えた両側面板の間隔寸法が種々の場合であっても容易に対応することができる。
【００２４】
既に理解されるように、プレスブレーキにおいてダイを支持するダイホルダを複数に分割した分割ダイホルダの構成とし、この複数の分割ダイホルダでもって複数の分割ダイを支持することにより、前述したごとく、標準ダイの高さ寸法よりも大きな高さ寸法の側面板を天井面板の両側に備えたワークに容易に対応することができるものである。この場合、複数の分割ダイホルダ９Ａ，９Ｂ，９Ｃ，‥‥はプレスブレーキにおける下部テーブル上に常に装着しておくことができ、分割ダイホルダ９Ａ，９Ｂ，９Ｃ，‥‥の組合せの必要性によって左右方向に位置調節すればよいものである。換言すれば、複数の分割ダイホルダ９Ａ，９Ｂ，９Ｃ，‥‥の格別の格納棚等を必要とするものではなく、その保守、管理が容易なものである。
【符号の説明】
【００２５】
１    金型装置
３    下部テーブル
７    ホルダベース
９    ダイホルダ
１３    ダイ
１５    ダイ装着部
１７    支持面
１９    挟持面
２１    突出部
２３    クランプ部材
２５    締付具
【図１】
0005519266.tif 000002
【図２】
0005519266.tif 000003
【図３】
0005519266.tif 000004
【図４】
0005519266.tif 000005
【図５】
0005519266.tif 000006
【図６】
0005519266.tif 000007